(57)【要約】【課題】センサ付照明器具において、器具外部から熱線検知センサを目立たなく設けることができると共に、熱線検知センサの検知性能を確保でき、さらには、カバーの外観を良好とする。【解決手段】人体検知センサ５の出力により光源ランプ４を点灯制御するようにした照明器具において、カバー３が、ポリエチレン系樹脂組成物で形成され、カバー外面の人体検知センサ５の受光面と対向し、その検知領域を構成する立体角に含まれる受光部となる部分の算術平均粗さＲａを、０．３〜４．０μｍとした。【選択図】図１
2005158381.tif 000002
【特許請求の範囲】
【請求項１】
合成樹脂材料製のカバーにて覆われた光源ランプと、該カバー内に配設され、人体等から放射される熱線を集光し人体等の検知を行う熱線検知センサとを備え、該センサの出力により前記光源ランプを点灯制御するようにしたセンサ付照明器具において、
前記カバーが、ポリエチレン系樹脂組成物で形成され、
カバー外面の少なくとも熱線検知センサの受光面と対向し、その検知領域を構成する立体角に含まれる受光部となる部分の算術平均粗さＲａが、０．３〜４．０μｍであることを特徴とするセンサ付照明器具。
【請求項２】
カバー外面の少なくとも熱線検知センサの受光面と対向し、その検知領域を構成する立体角に含まれる受光部となる部分の算術平均粗さＲａが、０．３〜２．０μｍであることを特徴とする請求項１に記載のセンサ付照明器具。
【請求項３】
カバー外面の少なくとも熱線検知センサの受光面と対向し、その検知領域を構成する立体角に含まれる受光部となる部分の輪郭曲線要素の平均長さＲＳｍが、６００μｍ以下であることを特徴とする請求項１又は２に記載のセンサ付照明器具。
【請求項４】
カバー外面の少なくとも熱線検知センサの受光面と対向し、その検知領域を構成する立体角に含まれる受光部となる部分の光沢度が、４０％以下であることを特徴とする請求項１乃至３のいずれかに記載のセンサ付照明器具。
【請求項５】
請求項１乃至４のいずれかに記載のセンサ付照明器具に用いられる照明カバー。
【発明の詳細な説明】
【技術分野】
【０００１】
本発明は、センサ付照明器具及びそれに用いられるカバーに関するものである。
【背景技術】
【０００２】
近年、省エネルギー志向の高まりに伴い、人体等から放射される熱線を集光し人体等の検知を行う熱線検知センサの出力にて点灯制御するように構成したセンサ付照明器具が広く利用されつつある。
【０００３】
この種、従来の照明器具においては、照明器具の基本性能である可視光の透過性、拡散性、及び紫外線に対する耐劣化性能である耐候性の良好なアクリル樹脂又はポリスチレン樹脂にてカバーを形成し、熱線検知センサの検知性能を確保するために、熱線検知センサもしくはその集光用レンズを照明器具の外側に露出する構成としていた。従って、熱線検知センサが目立って、外観の見栄えが悪くなり、センサ付照明器具としてのデザイン的な統一感も損なわれるという問題があった。
【０００４】
このような問題への対応策として、カバーを、上記耐候性及び光学特性以外に、遠赤外線である熱線を透過する領域について高率透過性能を十分に満足できるポリエチレン系樹脂で形成し、かかるカバーで光源ランプと熱線検知センサを覆うことによって、照明器具外部から熱線検知センサを目立たなく設けることができ、可視光の透過性、拡散性が良好で、さらには熱線検知センサの検知性能を確保できるようにしたセンサ付照明器具が提案されている（特許文献１参照）。
【０００５】
ところで、上記のようなセンサ付照明器具において、人体検知性能を確保するには、カバーの、少なくとも熱線検知センサの受光面と対向する検知領域を成す立体角に含まれる受光部分を、極力平滑となるように形成し、カバーを熱線が透過するに際して熱線の減衰を比較的少なくする必要があった。
【０００６】
しかしながら、このような平滑な面でカバーを形成した場合、表面艶によるテカテカ感が安っぽさを与え、外観品質を低下させるという問題があった。これを改善するには、従来のアクリル樹脂又はポリスチレン樹脂製カバーのように、表面にシボ（細かな凹凸）を形成し、艶を低下させるということも考えられる。しかしながら、従来のアクリル樹脂又はポリスチレン樹脂製カバーの場合は、消灯時の外観と点灯時のランプイメージ（可視光域の拡散性）のみに配慮して深めのシボを形成しているため、同じようなシボを単純にポリエチレン系樹脂製カバーの表面に形成しても、それらのレベルによっては、カバーを透過する熱線を減衰させ、熱線検知センサの検知性能を低下させてしまう可能性があった。
【０００７】
一方、表面艶を低下させる手段として、樹脂中に球状のメタクリル系架橋粒子から成る艶消し剤を添加することも知られている（特許文献１，２）。
【特許文献１】特開２００１−３３８５２２号公報
【特許文献２】特開２０００−２９６５８０号公報
【特許文献３】特開２０００−２９６５８１号公報
【発明の開示】
【発明が解決しようとする課題】
【０００８】
しかしながら、上記特許文献に示されるような艶消し剤をポリエチレン系樹脂に添加した場合、遠赤外線領域の熱線をほとんど透過しなくなるため、カバーの遠赤外線透過性が損なわれ、熱線検知センサの検知性能が確保できなくなる虞がある。
本発明は、上記事由に鑑みて成されたものであり、照明器具外部から熱線検知センサを目立たなく設けることができると共に、熱線検知センサの検知性能を確保でき、さらには、カバーの外観が良好なセンサ付照明器具及びそれに用いられる照明カバーを提供することを目的とする。
【課題を解決するための手段】
【０００９】
請求項１の発明は、合成樹脂材料製のカバーにて覆われた光源ランプと、該カバー内に配設され、人体等から放射される熱線を集光し人体等の検知を行う熱線検知センサとを備え、該センサの出力により前記光源ランプを点灯制御するようにしたセンサ付照明器具において、前記カバーが、ポリエチレン系樹脂組成物で形成され、カバー外面の少なくとも熱線検知センサの受光面と対向し、その検知領域を構成する立体角に含まれる受光部となる部分の算術平均粗さＲａが、０．３〜４．０μｍであるものである。
請求項２の発明は、請求項１に記載のセンサ付照明器具において、カバー外面の少なくとも熱線検知センサの受光面と対向し、その検知領域を構成する立体角に含まれる受光部となる部分の算術平均粗さＲａが、０．３〜２．０μｍであることを特徴とする。
請求項３の発明は、請求項１又は２に記載のセンサ付照明器具において、カバー外面の少なくとも熱線検知センサの受光面と対向し、その検知領域を構成する立体角に含まれる受光部となる部分の輪郭曲線要素の平均長さＲＳｍが、６００μｍ以下であることを特徴とする。
請求項４の発明は、請求項１乃至３のいずれかに記載のセンサ付照明器具において、カバー外面の少なくとも熱線検知センサの受光面と対向し、その検知領域を構成する立体角に含まれる受光部となる部分の光沢度が、４０％以下であることを特徴とする。
請求項５の発明は、請求項１乃至４のいずれかに記載のセンサ付照明器具に用いられる照明カバーである。
【発明の効果】
【００１０】
請求項１，５の発明によれば、照明器具外部から熱線検知センサを目立たなく設けることができると共に、熱線検知センサの検知性能を確保でき、さらには、カバーの外観が良好となる。
請求項２の発明によれば、より検知エリアを広くすることができる。
請求項３，４の発明によれば、カバー表面の艶をより抑えることができ、外観がさらに良好となる。
【発明を実施するための最良の形態】
【００１１】
本発明の実施形態によるセンサ付照明器具について図１を参照して説明する。この照明器具１は、器具本体２と、これに取り付けられた光源ランプ４と、この光源ランプ４を覆うカバー３と、このカバー３内に配設され、人体等から放射される熱線を集光し人体等の検知を行う人体検知センサ５（熱線検知センサ）とを備え、このセンサ５の出力により光源ランプ４を点灯制御するようにしている。
【００１２】
カバー３は、ポリエチレン系樹脂組成物で形成され、少なくともカバー外面の、人体検知センサ５の受光面と対向しその検知領域を構成する立体角（斜線で示す）に含まれる受光部となる部分（Ａ部分）の算術平均粗さＲａが０．３〜４．０μｍとなるよう形成するのが好ましい。人体検知センサ５の検知領域を構成する、センサ受光面と対向する立体角に含まれる、ポリエチレン系樹脂組成物の受光部越しに熱線が検知される。従って、カバーを３〜１５μｍの波長領域の熱線を透過するポリエチレン系樹脂組成物で形成することで、カバー３を透過するに際しての熱線の減衰を比較的少なくして人体検知センサ５の検知感度を維持できる。
【００１３】
また、カバー３外面の算術平均粗さＲａが０．３μｍ未満の場合、表面の艶が強くなり、外観品質を低下させてしまう。一方、算術平均粗さＲａが４．０μｍを超えると、カバーを透過するに際しての熱線を減衰させてしまい、熱線検知センサの検知性能を極端に低下する。従って、カバー外面の算術平均粗さＲａを０．３〜４．０μｍに形成することで、カバー３の表面の艶を抑制し外観を良好にすることができ、カバー３を透過するに際しての熱線減衰を少なくして、人体検知センサ５の検知性能を安定化させることができる。
【００１４】
また、カバー３外面の算術平均粗さＲａが０．３〜２．０μｍとなるよう形成するのがより好ましい。カバー外面の算術平均粗さＲａが上記範囲にある場合、カバー３の表面の艶を抑制し、外観を良好にしつつ、カバー３を透過するに際しての熱線減衰をより少なくして、人体検知センサ５の検知範囲を広くすることができる。
【００１５】
また、カバー３外面の輪郭曲線要素の平均長さＲＳｍが６００μｍ以下となるよう形成するのが好ましい。輪郭曲線要素の平均長さＲＳｍが６００μｍを超えると、表面の艶が強くなり、外観品質を低下させてしまう。よって、カバー３外面の輪郭曲線要素の平均長さＲＳｍを６００μｍ以下に形成することで、カバー３の表面の艶をさらに抑制し、外観を良好にすることができる。
【００１６】
また、カバー３外面の光沢度が４０％以下であることが好ましい。光沢度が４０％を超えると、表面の艶が強くなり、外観品質を低下させてしまう。よって、カバー３外面の光沢度を４０％以下にすることで、カバー３の表面の艶が抑制され、外観を良好にすることができる。
【実施例】
【００１７】
下記の表１に示したような材料を用いて、押出成形にて片面のみ表面粗さを変えたシートを形成し、そのシートを真空成形することで、実施例及び比較例に用いた照明カバー（グローブタイプ）を形成した。その際、表面粗さを変えた面がカバーの外側となるよう形成し、カバーの少なくとも熱線検知センサの受光面と対向する検知領域を構成する立体角に含まれる受光部となる部分の肉厚が０．７〜０．８ｍｍとなるようにした。
【表１】
2005158381.tif 000003
【００１８】
評価方法は次の通りである。上記により得られたカバーを用いて、下記の『算術平均粗さＲａ』、『輪郭曲線要素の平均長さＲＳｍ』、『光沢度』、『外観』について評価を行った。ここに、カバーを取り付けた照明器具は、上述図１に示した洋風器具（ランプ：ツインＰａ４０Ｗ，センサレンズ部エリアカットなし）であり、下記の『歩行検知性』について評価を行った。
【００１９】
［１］算術平均粗さＲａ
ＪＩＳ  Ｂ  ０６０１に基づきカバー表面（外面）の算術平均粗さＲａを測定した。
測定装置：レーザー顕微鏡  ＶＫ-８５００（キーエンス製）
［２］輪郭曲線要素の平均長さＲＳｍ
ＪＩＳ  Ｂ  ０６０１-２００１に基づき、上述の［１］算術平均粗さＲａで用いたカバー表面（外面）の輪郭曲線要素の平均長さＲＳｍを測定した。
測定装置：レーザー顕微鏡  ＶＫ-８５００（キーエンス製）
［３］光沢度
上述の［１］算術平均粗さＲａで用いたカバー表面（外面）の光沢度を測定した。
測定装置：広角光沢度計  グロスメータ（スガ試験機製）
光照射角度：６０°
［４］外観
上述の［１］算術平均粗さＲａで用いたカバーを目視評価し、下記の通り、◎、○、△、×で判定した。
◎・・・・・艶が非常に弱い  ：外観に優れる
○・・・・・艶が弱い          ：外観が良好
△・・・・・艶がやや強い    ：外観にやや劣る
×・・・・・艶が強い          ：外観に劣る
［５］歩行検知性
上述の［１］算術平均粗さＲａで用いたカバーを取り付けた照明器具１（カバー付）を、図２に示すように、天井に設置し、器具の直下よりおよそ２．５ｍの位置から、器具の直下に向かって人間を歩行させ、センサが反応しランプが点灯した時にいた位置を器具の直下からの距離（検知エリア）として測定し、下記の通り、◎、○、△、×で判定した。
測定条件：周囲温度・・・２５〜２６℃
電源電圧／周波数・・・１００Ｖ／６０Ｈｚ
器具取付け高さ・・・センサのレンズ外下面から床面まで２．２ｍ
歩行速度・・・０．５ｍ／ｓｅｃ
歩行者の温度・・・頭部：35℃，顔：36℃，胴：未測定，左手：36℃，右手：35℃，左膝：35℃，右膝：35℃，左足：29℃，右足：30℃
◎・・・・・検知距離  １．５ｍ以上              ：検知性能に優れる
○・・・・・検知距離  １．０ｍ〜１．５ｍ以内   ：検知性能が良好
△・・・・・検知距離  ０．５ｍ〜１．０ｍ以内   ：検知性能にやや劣る
×・・・・・検知距離  ０．５ｍ以下              ：検知性能に劣る
【００２０】
上記の［１］算術平均粗さＲａ、［２］輪郭曲線要素の平均長さＲＳｍの各種例について、［３］光沢度、［４］外観、［５］歩行検知性について評価した結果を下記の表２に纏めた。実施例１〜４は、いずれも好適な評価となったものであり、比較例１〜４はいずれかの点で不適な評価となったものである。この評価結果より、照明カバーとしては上述した通りの特性を持つものが好適であることが分かる。
【表２】
2005158381.tif 000004
【００２１】
なお、本発明は上記実施形態に限られず、種々の変形が可能であり、例えば、上記のような洋風の照明器具に限られず、和風の照明器具であっても同様に適用可能である。
【図面の簡単な説明】
【００２２】
【図１】本発明の一実施形態に係る照明器具の断面図。
【図２】照明器具の特性を評価する状態を説明する図。
【符号の説明】
【００２３】
１  照明器具
２  器具本体
３  カバー
４  光源ランプ
５  人体検知センサ（熱線検知センサ）
【図１】
2005158381.tif 000005
【図２】
2005158381.tif 000006